【手続補正書】
【提出日】平成17年11月21日(2005.11.21)
【手続補正１】
【補正対象書類名】明細書
【補正対象項目名】特許請求の範囲
【補正方法】変更
【補正の内容】
【特許請求の範囲】
【請求項１】  連続する一連の動画像信号を生成する生成手段と、
前記生成手段により生成された一連の動画像信号を記録媒体に記録する記録手段と、
前記記録媒体に記録された一連の動画像信号から、与えられた指示信号に対応するフレーム画像の前後の所定期間に亘る動画像信号を抽出する抽出手段と、
前記抽出手段によって抽出された動画像信号に基づいて１つの動画像ファイルを作成するファイル作成手段とを備えることを特徴とする映像記録装置。
【請求項２】 連続する一連の動画像信号を生成する生成手段と、
前記生成手段により生成された一連の動画像信号を記録媒体に記録する記録手段と、
前記記録媒体に記録された一連の動画像信号から、与えられた指示信号に対応するフレーム画像の前後の所定期間に亘る動画像信号を抽出する抽出手段と、
前記抽出手段によって抽出された動画像信号の再生を指定する再生リストを生成する再生リスト生成手段とを備えることを特徴とする映像記録装置。
【請求項３】 前記抽出手段は、前記指示信号に対応するフレーム画像の直前の第１の所定期間に亘る動画像信号と、前記指示信号に対応するフレーム画像の直後の第２の所定期間に亘る動画像信号とを、前記一連の動画像信号から抽出することを特徴とする請求項１または２記載の映像記録装置。
【請求項４】 前記第１の所定期間及び前記第２の所定期間の長さは任意に設定されることを特徴とする請求項３記載の映像記録装置。
【請求項５】 前記指示信号は任意のタイミングで与えられることを特徴とする請求項１または２記載の映像記録装置。
【請求項６】 前記生成手段により生成された一連の動画像信号を用いて前記指示信号を発生する指示信号発生手段を備えたことを特徴とする請求項１または２記載の映像記録装置。
【請求項７】 前記指示信号発生手段は、前記一連の動画像信号の各フレーム画像における特定の領域の画像の変化に基づいて前記指示信号を発生することを特徴とする請求項６記載の映像記録装置。
【請求項８】 前記生成手段により生成された一連の動画像信号のうち、前記指示信号に対応するフレームの画像データに対して付加情報を付加する付加手段を備え、前記抽出手段は前記付加情報に基づいて前記動画像信号を抽出することを特徴とする請求項１または２記載の映像記録装置。
【請求項９】 前記ファイル作成手段は、前記抽出手段により抽出された動画像信号を、前記一連の動画像信号が記録された記録領域とは異なる領域に転送することで前記一つのファイルを作成することを特徴とする請求項１記載の映像記録装置。
【請求項１０】 前記再生リスト生成手段は更に、前記抽出手段により前記一連の動画像信号から抽出された複数の前記動画像信号を連続して再生するための前記再生リストを生成することを特徴とする請求項２記載の映像記録装置。
【手続補正２】
【補正対象書類名】明細書
【補正対象項目名】０００９
【補正方法】変更
【補正の内容】
【０００９】
【課題を解決するための手段】
上記目的を達成するために、請求項１記載の発明によれば、連続する一連の動画像信号を生成する生成手段と、前記生成手段により生成された一連の動画像信号を記録媒体に記録する記録手段と、前記記録媒体に記録された一連の動画像信号から、与えられた指示信号に対応するフレーム画像の前後の所定期間に亘る動画像信号を抽出する抽出手段と、前記抽出手段によって抽出された動画像信号に基づいて１つの動画像ファイルを作成するファイル作成手段とを備えることを特徴とする映像記録装置が提供される。
請求項２記載の発明によれば、連続する一連の動画像信号を生成する生成手段と、前記生成手段により生成された一連の動画像信号を記録媒体に記録する記録手段と、前記記録媒体に記録された一連の動画像信号から、与えられた指示信号に対応するフレーム画像の前後の所定期間に亘る動画像信号を抽出する抽出手段と、前記抽出手段によって抽出された動画像信号の再生を指定する再生リストを生成する再生リスト生成手段とを備えることを特徴とする映像記録装置が提供される。
【手続補正３】
【補正対象書類名】明細書
【補正対象項目名】０１１８
【補正方法】削除
【補正の内容】
【手続補正４】
【補正対象書類名】明細書
【補正対象項目名】０１１９
【補正方法】削除
【補正の内容】
【手続補正５】
【補正対象書類名】明細書
【補正対象項目名】０１２０
【補正方法】削除
【補正の内容】
【手続補正６】
【補正対象書類名】明細書
【補正対象項目名】０１２１
【補正方法】削除
【補正の内容】
【手続補正７】
【補正対象書類名】明細書
【補正対象項目名】０１２２
【補正方法】削除
【補正の内容】
【手続補正８】
【補正対象書類名】明細書
【補正対象項目名】０１２３
【補正方法】削除
【補正の内容】
【手続補正９】
【補正対象書類名】明細書
【補正対象項目名】０１２４
【補正方法】削除
【補正の内容】
【手続補正１０】
【補正対象書類名】明細書
【補正対象項目名】０１２５
【補正方法】削除
【補正の内容】
【手続補正１１】
【補正対象書類名】明細書
【補正対象項目名】０１２６
【補正方法】削除
【補正の内容】
【手続補正１２】
【補正対象書類名】明細書
【補正対象項目名】０１２７
【補正方法】削除
【補正の内容】
【手続補正１３】
【補正対象書類名】明細書
【補正対象項目名】０１２８
【補正方法】削除
【補正の内容】
【手続補正１４】
【補正対象書類名】明細書
【補正対象項目名】０１２９
【補正方法】削除
【補正の内容】
【手続補正１５】
【補正対象書類名】明細書
【補正対象項目名】０１３０
【補正方法】削除
【補正の内容】
【手続補正１６】
【補正対象書類名】明細書
【補正対象項目名】０１３１
【補正方法】削除
【補正の内容】
【手続補正１７】
【補正対象書類名】明細書
【補正対象項目名】０１３２
【補正方法】削除
【補正の内容】
【手続補正１８】
【補正対象書類名】明細書
【補正対象項目名】０１３３
【補正方法】削除
【補正の内容】
【手続補正１９】
【補正対象書類名】明細書
【補正対象項目名】０１３４
【補正方法】削除
【補正の内容】
【手続補正２０】
【補正対象書類名】明細書
【補正対象項目名】０１３８
【補正方法】変更
【補正の内容】
【０１３８】
更に、本発明によれば、指示信号をトリガとして、その前後の映像部分を含んだ動画像ファイルが生成されるので、第１及び第２の所定期間を設定することにより、撮影映像の冗長部を実用的に排除した動画像ファイルを複数生成できる。
【手続補正２１】
【補正対象書類名】明細書
【補正対象項目名】０１３９
【補正方法】変更
【補正の内容】
【０１３９】
更に、本発明によれば、例えばゴルフフォームの撮影などでは、スイングやボールの飛び出しなどを映像的に検出することにより、前記指示信号を発生することができる。
【手続補正２２】
【補正対象書類名】明細書
【補正対象項目名】０１４０
【補正方法】変更
【補正の内容】
【０１４０】
更に、本発明によれば、映像の変化を簡便に検出するために、例えばゴルフのスイング練習の撮影などの場合には、ボールを囲む矩形領域を指定するなどして、その矩形領域内の輝度やクロマの変化量を検出する。これにより、検出回路の構成や検出方法の簡易化を図れる。勿論、ボールを囲む領域は矩形に限らず、円形などであってもよい。
【手続補正２３】
【補正対象書類名】明細書
【補正対象項目名】０１４１
【補正方法】削除
【補正の内容】
【手続補正２４】
【補正対象書類名】明細書
【補正対象項目名】０１４２
【補正方法】削除
【補正の内容】
【手続補正２５】
【補正対象書類名】明細書
【補正対象項目名】０１４３
【補正方法】変更
【補正の内容】
【０１４３】
更に、本発明によれば、再生時などに前記情報をサーチすることにより、指示信号に対応したフレーム画像の頭出しなどを容易に行うことができる。
【手続補正２６】
【補正対象書類名】明細書
【補正対象項目名】０１４４
【補正方法】変更
【補正の内容】
【０１４４】
更に、本発明によれば、再生時に複数の動画像ファイルの中から、所望の一連の映像を再生することを容易にする再生リストの生成が可能となる。
【手続補正２７】
【補正対象書類名】明細書
【補正対象項目名】０１４５
【補正方法】変更
【補正の内容】
【０１４５】
更に、本発明によれば、撮影単位の再生リストが生成されるので、撮影日時などにより再生リストを選択することで、そのリストに含まれる動画像ファイル群の再生、コピー、編集等が容易に行える。
【手続補正２８】
【補正対象書類名】明細書
【補正対象項目名】０１４６
【補正方法】削除
【補正の内容】
【手続補正２９】
【補正対象書類名】明細書
【補正対象項目名】０１４７
【補正方法】変更
【補正の内容】
【０１４７】
更に、本発明によれば、１つの動画像ファイルを生成する際に、記録媒体上の一連の動画像信号を記録している所定の領域以外の他の領域に動画像ファイルを生成する。これにより、動画像ファイルを別データによる上書きなどから保護することが可能となる。